(57)【特許請求の範囲】
【請求項１】
バルコニーに形成される雨樋用溝の一次防水構造の下面に高分子ポリマーシートからなる二次防水構造を設けるバルコニーの防水構造であって、前記二次防水構造は、折り込みにより形成された二次防水シート本体部と、該二次防水シート本体部に定形シーリング材を介して密着される排水口部とからなり、前記排水口部の底部上に送りシートを仮付けしたものを用いたことを特徴とするバルコニーの防水構造。
【請求項２】
前記高分子ポリマーシートが、無延伸ポリプロピレンシートであることを特徴とする請求項１に記載のバルコニーの防水構造。
【請求項３】
前記定形シーリング材が、非加硫ブチルゴムであることを特徴とする請求項２に記載のバルコニーの防水構造。
【発明の詳細な説明】
【０００１】
【発明の属する技術分野】
本発明は、バルコニーに設けられる雨樋本体の接合部もしくは破損部による漏水を防止するに好適なバルコニーの防水構造に関する。
【０００２】
【従来の技術】
図１２に従来のバルコニー７ａの一般的構造を示す。石膏ボード等からなる建物壁９を設けた桁１０からオーバハングして配設される梁１１の伸延端には桁１２が設けられ、桁１２上にはバルコニー手摺壁１３が立設される。また、梁１１上には根太１４を介しバルコニー床を形成する一次防水構造１５が配置されると共に、バルコニー手摺壁１３の近傍には雨樋用溝８が形成される。なお、図示のように、雨樋用溝８には塩ビ鋼板からなる一次防水構造４５が設けられている。
【０００３】
【発明が解決しようとする課題】
バルコニー床を形成する一次防水構造１５は、図示の例では四層のものからなり、具体的には、最下に合板等からなる床下地板１５ａ、その上にアスファルトルーフィング１５ｂ，その上に塩ビ鋼板からなる床板１５ｃが重合され、最上部に床仕上板１５ｄが配されている。なお、バルコニー床を形成する一次防水構造１５と雨樋用溝８の一次防止構造４５との重合部には図略のコーキング材が塗布され、その部分からの漏水を防止している
雨樋用溝８の一次防水構造４５としては、塩ビ鋼板の他、アルミニウム，亜鉛，銅，ステンレス，鉄等の金属板やこの曲げ加工品，塩ビ樹脂板等の合成樹脂板又はこの成形品等が使用されている。
しかしながら、金属板は、線膨張係数が１〜２×１０ー6／℃、引張強さが１０００〜５０００ｋｇ／ｃｍ2、伸張率が２０〜４０程度であり、経時による伸縮の繰り返しで防水目的としたコーキング接合が破断し、雨水が建物内に漏れる問題点がある。また、塩ビ樹脂材又はこの成形品の場合にも熱変化が大きく、接合部位のコーキング材が剥がれる場合が多く、漏水の原因となる問題点があった。
【０００４】
【課題を解決するための手段】
本発明のバルコニーの防水構造は、前記課題を解決すべく、バルコニーに形成される雨樋用溝の一次防水構造の下面に高分子ポリマーシートからなる二次防水構造を設けるバルコニーの防水構造であって、前記二次防水構造は、折り込みにより形成された二次防水シート本体部と、該二次防水シート本体部に定形シーリング材を介して密着される排水口部とからなり、前記排水口部の底部上に送りシートを仮付けしたものを用いたことを特徴とする。
また、請求項２に記載のバルコニーの防水構造は、前記高分子ポリマーシートが、無延伸ポリプロピレンシートであることを特徴とする。
また、請求項３に記載のバルコニーの防水構造は、前記シーリング材が、非加硫ブチルゴムであることを特徴とする。
【０００５】
【課題を解決するための手段】
本発明のバルコニーの防水構造は、前記課題を解決すべく、バルコニーに形成される雨樋用溝の一次防水構造の下面に高分子ポリマーシートからなる二次防水構造を設けることを特徴とする。
また、請求項２に記載のバルコニーの防水構造は、前記高分子ポリマーシートが
、無延伸ポリプロピレンシートであることを特徴とする。
また、請求項３に記載のバルコニーの防水構造は、前記二次防水構造は、折り込みにより形成された二次防水シート本体部と、該二次防水シート本体部に定形シーリング材を介して密着される排水口部とからなることを特徴とする。
また、請求項４に記載のバルコニーの防水構造は、前記シーリング材が、非加硫ブチルゴムであることを特徴とする。
【０００６】
バルコニーの雨樋用溝の一次防水構造の下面に高分子ポリマーシートの二次防水構造を配設することにより、一次防水構造に漏水があっても二次防水構造により遮断され、建物内への漏水は防止される。また、ＣＰＰは分子構造が無定形であり、寸法安定性がよく、折りすじを付けた部分しか曲がらないため折り込みによる箱形への形成が容易にでき、切れ目のない箱ができる。また、二次防水構造は一体構造に折り込み形成された二次防水シート本体部と排水口部とから形成され、排水口部をバルコニー手摺壁等に密着せしめて排水を行う。なお、二次防水シート本体部と排水口部との重合部はＣＰＰとなじみ易いブチルゴムシーリング材で接合されシールの完全化が図られ、排水口部とバルコニー手摺壁等との接合部はコーキング材によりシールされる。また、排水口部に、送りシートを設けることにより、一次防水構造の排水口側の端面による二次防水構造の損傷が防止される。
【０００７】
【発明の実施の形態】
以下、本発明のバルコニーの防水構造の実施の形態を図面を参照して詳述する。
各部の構造説明に先立ってＣＰＰの特徴を説明する。このＣＰＰは、一般に０．４〜０．６ｍｍの薄板材に形成されても十分な強度が得られ、分子構造が無定形であり寸法安定性がよく、折りすじをつけた部分しか曲がらず折り込み形成により箱体状に形成することができ、形状保持力にも優れている。この為、５〜６ｍの長尺物も丸めてコンパクトに梱包でき、在庫や輸送工数を削減できる。そして、使用時には、ケースから取り出すと元の真っ直ぐな形状に戻るので、施工ミスがない。また、無極性であり疎水性がよく、水は玉状となって傾斜面を転がる。また、すべり抵抗がなく、下地の寸法に多少の誤差があっても雨樋のくつべらのように作用して雨樋を下地溝部へ速やかに取り付けることができ、雨樋の施工による変形が生じにくい。また、９０モル％以上のポリプロピレン素材であれば、１７０℃の耐熱性があり、耐薬品性，耐久性にも優れる。また、比重０．９と軽量で、半硬質のため怪我の心配もなくＰＬ法上からも適当なものである。また、ＣＰＰ同士のシーリング材として非加硫ブチルゴムを用いた場合、ＣＰＰと非加硫ブチルゴムとは分子構造上、夫々炭素が３つと４つの組み合わせで形成されるオレフィン（直鎖高分子）のため、相容性が極めてよく、使用されている樹脂材もオイルも共通で接合性が極めてよい。
【０００８】
図１は、建物等のバルコニー７の雨樋用溝８の部分に本発明のバルコニーの防水構造を適用した場合を示す。なお、本例の二次防水構造１はＣＰＰを採用するが、勿論これに限定するものではない。石膏ボード等からなる建物壁９を設けた桁１０からオーバハングして配設される梁１１の伸延端には桁１２が設けられ、桁１２上にはバルコニー手摺壁１３が立設される。また、バルコニー手摺壁１３の下方側には後に説明する排水口部３（図２）が通過可能な開口孔１３ａが形成される。また、梁１１上には根太１４を介しバルコニー床を形成する一次防水構造１５が配置されると共に、バルコニー手摺壁１３の近傍には雨樋用溝８が形成される。
【０００９】
雨樋用溝８内には雨樋形状に対応して形成された塩ビ鋼板からなる一次防水構造４５が配設される。本例の二次防水構造１は、一次防水構造４５の下面と雨樋用溝８の底に当る梁１１との間に介設され、一次防水構造１５と同じく雨樋用溝８の長手方向に沿って配設されると共に、バルコニー手摺壁１３側に排水口部３を形成するものからなる。なお、バルコニー床を形成する一次防水構造１５は床下地板１５ａ、アスファルトルーフィング１５ｂ，床板１５ｃ，床仕上板５ｄを重合したものからなる。
【００１０】
二次防水構造１は、図２及び図３に示すように、二次防水シート本体部２とこれに固着される排水口部３とからなる。二次防水シート本体部２は図４に示すように折り曲げ形成されたものからなり、その両端は図５乃至図７に示すように折り返されて閉止される。即ち、二次防水シート本体部２の上方側のみ開口し、その周縁を壁１６で囲まれたコ字形状断面の細長い箱体状の部材からなる。横断面形状を図４のようにその底面側を２段階に屈曲せしめたのは、強度向上及び雨樋と下地溝寸法の公差を吸収し、そして雨水を中央集中させるためであり、図示のものに限定するものではない。また、二次防水シート本体部２の排水口側に近い一端側には図６に示すような開口部１７が形成され、開口部１７には開口部１７に対応する周縁の壁１６の一部を折り曲げずに底１９を延長させた延長片１８が二次防水シート本体部２の底１９と面一の状態で突出形成される。
【００１１】
次に、二次防水シート本体部２の折り曲げ形成方法を簡単に説明する。まず、図１０に示すようにＣＰＰの平板を準備し、予め折り曲げを必要とする部分に点線のような折り曲げ線２０を入れる。次に、図１１に示すように、夫々の折り曲げ線２０に沿って各部を折り曲げる。特に、端部は順序よく折り曲げ、切り口の無い、箱形状となる。以上により、端部は図６，図７に示すように直角に曲げられ、底１９の部分は図４に示した形状に形成される。
【００１２】
次に、以上のように折り曲げ形成された二次防水シート本体部２に固着される排水口部３を説明する。排水口部３は、図６に示すように二次防水シート本体部２の開口部１７に直接固着される排水口下方側部４と、図７に示すように排水口下方側部４に固着されて排水口６を形成する排水口上方側部５とからなる。
【００１３】
排水口下方側部４は、底部２１と、その両側から立ち上がる側部２２，２２と、底部２１の排水口側の端部に折り返し形成されるフランジ２３とからなる。また、底部２１の側部２２，２２のフランジ２３と反対側には鍔部２４が折り返し形成される。また、底部２１上には送りシート２５が後に詳述するように仮止めされる。
【００１４】
排水口上方側部５は、上板２６と、その両側に折り曲げ形成される側板２７，２７と、上板２６に基端を連結して伸延する片持ち片２８等とからなり、上板２６及び側板２７，２７の排出口側には夫々フランジ２９及びフランジ３０，３０が折り曲げ形成される。
【００１５】
次に、二次防水シート本体部２と排水口部３との結合方法を説明する。まず、図７に示すように、排水口下方側部４の鍔部２４，２４を二次防水シート本体部２の開口部１７の両側の壁１６，１６に接着すると共に底部２１を開口部１７側の延長片１８に接着する。なお、接着材としては非加硫ブチルゴム３１を使用する。また、接着部まわりに生ずる微少間隙の部分を非加硫ブチルゴム３１により閉止する。次に、図７に示すように排水口上方側部５の側板２７，２７を排水口下方側部４の側部２２，２２に重合し、非加硫ブチルゴム３１により接着する。以上により、図５に示すように、排水口部３が形成される。なお、この場合、排水口下方側部４の底部２１，側部２２，２２と排水口上方側部５の上板２６，側板２７により囲まれた部分が排水口６を形成する。
【００１６】
以上の構造の二次防水構造１を図１に示すように、雨樋用溝８内に挿入する。
ＣＰＰで造られた二次防水構造１は段ボールケースに丸めてコンパクトに収納されており、使用時に広げると図２の形状に長尺定形体として復元する。
このように復元した二次防水構造１の二次防水シート本体部２はその上に載置される一次防水構造１５の下面と梁１１の上面との間に介入される。一方、排水口部３は、バルコニー手摺壁１３の下方に穿孔された開口孔１３ａに挿入され、バルコニー手摺壁１３の内面側には片持ち片２８のフランジ２８ａを用いてコーキングで水密に接合されると共に、バルコニー手摺壁１３の外面側にはバルコニー手摺壁１３の外側に出ているフランジ２３，２９，３０を用いてコーキングで水密に接合される。
以上により、二次防水構造１内の水は二次防水シート本体部２の底１９を流れ、排水口部３の排水口６から外部に排水されることになる。
【００１７】
図８に示すように、送りシート２５は排水口部３の底部２１上に、本体部２の延長片１８を接着している非加硫ブチルゴム３１の側面（厚み０．５ｍｍ）に送りシート２５の側面を突き合わせて接合することにより、仮付けされている。一方、一次防水構造４５の排水口６側の端面４５ａは下向きに配設される場合が多く、二次防水構造１の上面に一次防水構造４５を挿入する場合、送りシート２５がない場合には、一次防水構造４５の端面４５ａが二次防水構造１の排水口部３の底部２１に接触して損傷を与えたり、また、フランジ２３，非加硫ブチルゴム３１の破壊を生じ、漏水を起こすことになる。然し乍ら、この送りシート２５を底部２１に前記の通り仮止めしておくことにより、図９に示すように、一次防水構造４５を所定位置にセットするとき、一次防水構造４５の端面４５ａが送りシート２５に当り、このとき５００ｇ／２００ｍｍ幅以上の力が加わると送りシート２５は非加硫ブチルゴム３１の側面から外れ、端面４５ａによって外方に送り出される。このようにして、送りシート２５によって排水口部３の底部２１が保護され、二次防水構造１に傷つけることなくその上面に一次防水構造４５の取り付けを行える。
前記のように、本発明では、一次防水構造（雨樋）４５をバルコニー手摺壁１３にコーキング材を用いて接合する必要がないので、従来の漏水の原因となってコーキング材の破壊を引き起こすようなコーキング接合を避けることができる。
また、ＣＰＰによる二次防水構造１はすべり抵抗が少ないので、一次防水構造（雨樋）４５の伸縮に抵抗せず、このため、一次防水構造４５は破損する畏れがない。
【００１８】
本例では高分子ポリマーシートとしてＣＰＰを用いたが、これに限定するものではなく、その他のポリマーシートであってもよい。また、ＣＰＰ同士の接合部の接合材としてＣＰＰとなじみのよい非加硫ブチルゴムを採用したが、これに限定するものではなく、温度差によって剥離や破壊の生じないその他の接合材も採用される。
【００１９】
【発明の効果】
１）本発明のバルコニーの防水構造によれば、高分子ポリマーシートからなる二次防水構造を一次防水構造の下面に設けることにより、一次防水構造は自由に伸縮できるので、初期の防水性が長期に維持されると共に万一にも一次防水構造から漏れた水や溢れた雨水が建物内へ漏水することも防止できる。
２）本発明バルコニーの防水構造によれば、高分子ポリマーシートとしてＣＰＰを用いることにより、二次的漏水事故の完全防止が行われると共に、施工性の向上が図れる。
３）本発明のバルコニーの防水構造によれば、二次防水構造は、雨樋用溝に沿って配設される二次防水シート本体部と、該二次防水シート本体部内への水を排水口側に導く排水口部とからなり、排水の確実化と円滑化が図れる。
４）本発明のバルコニーの防水構造によれば、定形シーリング材として非加硫ブチルゴムを用いることによりＣＰＰ同士の接合性の向上が図れ、シールの完全化ができる。
【図面の簡単な説明】
【図１】本発明の二次防水構造を配置したバルコニーを示す横断面図。
【図２】本発明の二次防水構造の上面図。
【図３】図２の側面図。
【図４】本発明の二次防水構造の二次防水シート本体部の斜視図。
【図５】本発明の二次防水シート本体部と排水口部との結合状態を示す部分斜視図。
【図６】本発明の二次防水シート本体部の開口部まわりとこれに固着される排水口下方側部の構造を示す部分斜視図。
【図７】本発明の二次防水シート本体部に固着された排水口下方側部とこれに接合される排水口上方側部の構造を示す部分斜視図。
【図８】本発明の排水口部に設けられた送りシートを示す部分断面図。
【図９】図８における送りシートの一次防水構造による移動形態を示す部分斜視図。
【図１０】本発明の二次防水構造における二次防水シート本体部の折り返し形成前の折り線の刻線状態を示す部分斜視図。
【図１１】図１０の状態から折り曲げられた二次防水シート本体部の折り曲げ途中の形態を示す部分斜視図。
【図１２】従来のバルコニーの防水構造を示す横断面図。
【符号の説明】
１      二次防水構造
２      二次防水シート本体部
３      排水口部
４      排水口下方側部
５      排水口上方側部
６      排水口
７      バルコニー
８      雨樋用溝
９      建物壁
１０    桁
１１    梁
１２    桁
１３    バルコニー手摺壁
１３ａ  開口孔
１４    根太
１５    一次防水構造（バルコニー床）
１５ａ  床下地板
１５ｂ  アスファルトルーフィング
１５ｃ  床板
１５ｄ  床仕上板
１６    壁
１７    開口部
１８    延長片
１９    底
２０    折り曲げ線
２１    底部
２２    側部
２３    フランジ
２４    鍔部
２５    送りシート
２６    上板
２７    側板
２８    片持ち片
２８ａ  フランジ
２９    フランジ
３０    フランジ
３１    非加硫ブチルゴム
３２    端面
４５    一次防水構造（雨樋用溝）
４５ａ  端面
【図１】
0003979734.tif 000002
【図２】
0003979734.tif 000003
【図３】
0003979734.tif 000004
【図４】
0003979734.tif 000005
【図５】
0003979734.tif 000006
【図６】
0003979734.tif 000007
【図７】
0003979734.tif 000008
【図８】
0003979734.tif 000009
【図９】
0003979734.tif 000010
【図１０】
0003979734.tif 000011
【図１１】
0003979734.tif 000012
【図１２】
0003979734.tif 000013